(57)【要約】【課題】利用者との距離にかかわらず文字の大きさを自動的に最適なものにできる情報表示装置を提供すること。【解決手段】遠隔操作制御装置５との間の距離を計測する距離計測手段６と、文字情報表示部２Ｂで表示される文字の最適な大きさを遠隔操作制御装置５との距離の関係で予め求めておき距離計測手段６の計測結果に基づいて文字情報表示部２Ｂで表示される文字の最適な大きさＸを制御する制御手段とを備えた。遠隔操作制御装置５の位置は利用者が情報表示装置１を見る位置であるため、利用者が情報表示装置１から離れる位置が変わっても、遠隔操作制御装置５と情報表示装置１との間の距離Ｒに基づいて文字の大きさＸが自動的に最適なものに制御される。【選択図】      図１
2004287168.tif 000002
【特許請求の範囲】
【請求項１】
遠隔操作制御装置から送られる信号に基づいて文字情報が表示される文字情報表示部を有する情報表示装置であって、
前記遠隔操作制御装置との間の距離を計測する距離計測手段と、前記文字情報表示部で表示される文字の最適な大きさを前記遠隔操作制御装置との距離の関係で予め求めておき前記距離計測手段の計測結果に基づいて前記文字情報表示部で表示される文字の最適な大きさを制御する制御手段とを備えたことを特徴とする情報表示装置。
【請求項２】
請求項１に記載の情報表示装置において、
前記遠隔操作制御装置は距離を計測するための光信号を出力可能とされ、前記距離計測手段は前記遠隔操作制御装置から出力される光信号を受光して前記距離を計測する光計測装置であることを特徴とする情報表示装置。
【請求項３】
請求項２に記載の情報表示装置において、
前記光計測装置は前記文字情報表示部を挟んで２個所設けられた受光検出素子を備え、これらの受光検出素子の間の寸法と、これらの受光検出素子同士を結ぶ直線及びこの直線上の１点と前記遠隔操作制御装置との最短を結ぶ直線とからなる三角形の関係から前記距離を測定することを特徴とする情報表示装置。
【請求項４】
請求項１〜３のいずれかに記載の情報表示装置において、
前記文字情報表示部の他に画像情報を表示する画像情報表示部を備えたことを特徴とする情報表示装置。
【請求項５】
請求項１〜４のいずれかに記載の情報表示装置において、
前記制御手段は前記文字情報表示部で表示される文字の大きさを前記遠隔操作制御装置との距離と直線的に正比例して制御することを特徴とする情報表示装置。
【請求項６】
請求項１〜４のいずれかに記載の情報表示装置において、
前記制御手段は前記文字情報表示部で表示される文字の大きさを前記遠隔操作制御装置との距離と対応して一定と変更とを所定距離毎に繰り返して階段的に制御することを特徴とする情報表示装置。
【請求項７】
請求項１〜４のいずれかに記載の情報表示装置において、
前記制御手段は前記文字情報表示部で表示される文字の大きさを前記遠隔操作制御装置との距離と対応して前記距離が短い時は変化率が大きく前記距離が長い時は変化率が小さく制御することを特徴とする情報表示装置。
【請求項８】
請求項１〜７のいずれかに記載の情報表示装置において、
前記制御手段は前記文字情報表示部で表示される文字の大きさを前記遠隔操作制御装置との距離が所定値を越えた場合には所定の大きさに制限することを特徴とする情報表示装置。
【請求項９】
請求項８に記載の情報表示装置において、
前記制御手段は前記文字情報表示部で表示される文字の大きさの制限を一列に配列する文字数との関係で求めることを特徴とする情報表示装置。
【請求項１０】
請求項１〜９のいずれかに記載の情報表示装置において、
前記制御手段は、前記文字情報表示部で表示される文字の最適な大きさを前記遠隔操作制御装置からの信号を受けてマニュアルで制御するマニュアル駆動部を備えたことを特徴とする情報表示装置。
【請求項１１】
遠隔操作制御装置から送られる信号に基づいて文字情報を表示する情報表示方法であって、
前記文字情報として表示される文字の最適な大きさを前記遠隔操作制御装置との距離の関係で予め求めておき、前記遠隔操作制御装置との距離を計測した結果に基づいて前記文字情報として表示される文字の最適な大きさを制御することを特徴とする情報表示方法。
【発明の詳細な説明】
【０００１】
【発明の属する技術分野】
本発明は、情報表示装置及び情報表示方法に関する。
【０００２】
【従来技術】
テレビ等の情報表示装置では、その画面を利用者が離れた位置から見るものがある。この場合、利用者の利便性を考慮して、遠隔操作制御装置（通称、リモコン）を操作して情報表示装置の画面の切り替え、音量の調整等を行っている。
この情報表示装置には、文字情報が表示される文字情報表示部を有するウェブページを閲覧できるものがある。
【０００３】
情報表示装置では、利用者との間の距離にかかわらず、画面で表示される文字（フォント）が一定の大きさであるものが多い。利用者は情報表示装置との間の距離を変更して画面を見ることが多く、遠い位置で画面を見る場合には文字が小さく文字情報がわかりにくい。
そのため、文字の大きさを変更できる情報表示装置が望まれており、従来には、文字の大きさを変更できるものとして、ウェブページの文字情報表示部で表示される文字の大きさを利用者が逐一自分に最適なフォントで表示されるようにマニュアル操作にて変更するものや、さらに、パソコンの画面の大きさに対応させて文字の大きさを自動的に制御するもの（特許文献１）がある。
【０００４】
【特許文献１】
特開平７−２６１７２４号公報（第３頁〜第５頁及び図１参照）
【０００５】
【発明が解決しようとする課題】
文字の大きさをマニュアル操作で変更する従来例にあっては、利用者が情報表示装置との距離を変更した場合毎に文字の大きさを換えなければならず、不便さは十分に解消されていない。
画面の大きさに比例して文字の大きさを変更する特許文献１では、利用者との間を変更しても、文字の大きさが変更されないので、前述の不便さは解消されない。
【０００６】
本発明の目的は、利用者との距離にかかわらず文字の大きさを自動的に最適なものにできる情報表示装置及び情報表示方法を提供することにある。
【０００７】
【課題を解決するための手段】
請求項１に記載の発明は、遠隔操作制御装置から送られる信号に基づいて文字情報が表示される文字情報表示部を有する情報表示装置であって、前記遠隔操作制御装置との間の距離を計測する距離計測手段と、前記文字情報表示部で表示される文字の最適な大きさを前記遠隔操作制御装置との距離の関係で予め求めておき前記距離計測手段の計測結果に基づいて前記文字情報表示部で表示される文字の最適な大きさを制御する制御手段とを備えたことを特徴とする情報表示装置である。
【０００８】
請求項１１に記載の発明は、遠隔操作制御装置から送られる信号に基づいて文字情報を表示する情報表示方法であって、前記文字情報として表示される文字の最適な大きさを前記遠隔操作制御装置との距離の関係で予め求めておき、前記遠隔操作制御装置との距離を計測した結果に基づいて前記文字情報として表示される文字の最適な大きさを制御することを特徴とする情報表示方法である。
【０００９】
【発明の実施の形態】
以下、本発明の一実施形態を図面に基づいて説明する。
図１は本実施形態にかかる情報表示装置１の概略構成を示す斜視図である。
図１において、情報表示装置１は、正面に画面２を備え、この画面２を挟んだ水平方向（横方向）の両側にはそれぞれ受光検出素子３Ｒ，３Ｌと、スピーカ４とが設けられたテレビである。情報表示装置１は遠隔操作制御装置５によって音声・画像情報が操作される。遠隔操作制御装置５は受光検出素子３Ｒ，３Ｌに光信号を送る発光素子５０を備える。
【００１０】
画面２はテレビの画像情報を表示する表示する画像情報表示部２Ａと、この画像情報表示部２Ａの中に設けられた窓に表示される文字情報表示部２Ｂとを備えている。画像情報表示部２ＡはＶＨＦやＵＨＦ等のテレビ電波を受信して静止画、動画、文字等の画像情報が表示される。文字情報表示部２Ｂはインターネット、ケーブルテレビ等の外部通信手段から信号を受信して文字情報が表示される。文字情報表示部２Ｂで表示される文字情報は画像情報表示部２Ａで表示される画像情報とリンクさせることも可能である。
【００１１】
図２は情報表示装置１の内部構成を示すブロック図である。
図２において、情報表示装置１は、テレビ電波を受信するアンテナ１０と、このアンテナ１０から受信した画像・音声データをチューニングするチューナー１１と、このチューナー１１からの信号を受けて画面２に編集した情報を供給するコンポジター１２と、このコンポジター１２を制御するＯＳＤ（オンスクリーンディスプレイ）１３と、インターネット、ケーブルテレビ等の外部通信手段から文字情報を受けるＮＩＭ（ネットワークインターフェイスモジュール）１４と、テレビのＲＡＭ１５及びＲＯＭ１６と、これらのチューナー１１、コンポジター１２、ＯＳＤ１３、ＮＩＭ１４、ＲＡＭ１５及びＲＯＭ１６の駆動を制御する制御手段としてのＣＰＵ１７とを備えている。このＣＰＵ１７はテレビとして画像・音声データを適正に出力するようにＯＳＤ１３やスピーカ４に信号を送る他、受光検出素子３Ｒ，３Ｌからの信号を受けて文字の大きさを最適なものに制御するものである。
【００１２】
ＣＰＵ１７の具体的な構成が図３に示されている。
図３において、ＣＰＵ１７は、受光検出素子３Ｒ，３Ｌからの信号を受ける距離演算部１７１と、情報表示装置１と遠隔操作制御装置５との間の距離Ｒ（図４参照）と文字情報表示部２Ｂで表示される文字（フォント）の最適な大きさＸ（図６参照）との関係を示すテーブル１７２と、このテーブル１７２に遠隔操作制御装置５からの信号を受けてデータを入力する設定部１７３と、テーブル１７２と距離演算部１７１とのデータに基づいて最適な文字の大きさを演算するフォント演算部１７４と、このフォント演算部１７４からの信号を受けて文字情報表示部２Ｂで表示される文字の大きさを変更するようにＯＳＤ１３に信号を送る駆動部１７５と、遠隔操作制御装置５からの信号を受けて文字情報表示部２Ｂに表示される文字の大きさをマニュアルで変更するようにＯＳＤ１３に信号を送るマニュアル駆動部１７６とを備えている。
【００１３】
受光検出素子３Ｒ，３Ｌ及び距離演算部１７１は、本実施形態における情報表示装置１と遠隔操作制御装置５との間の距離を計測する距離計測手段６を構成する。
この距離計測手段６の構成が図４及び図５に示されている。図４には受光検出素子３Ｒ，３Ｌの概略構成が示されている。
図４において、距離計測手段６は、遠隔操作制御装置５の発光素子５０から出力される光信号を受光して距離Ｒを計測する光計測装置であり、具体的には、これらの受光検出素子３Ｒ，３Ｌの間の寸法２Ｗと、これらの受光検出素子３Ｒ，３Ｌ同士を結ぶ直線及びこの直線上の１点と遠隔操作制御装置５との最短を結ぶ直線とのなす三角形の関係から距離Ｒを測定するものである。
【００１４】
受光検出素子３Ｒ，３Ｌは、受光素子アレイ３Ａが水平面内において円弧状に沿って複数並んで配列されており、各受光素子アレイ３Ａでの受光量の強度分布は発光素子５０からの距離に比例する。つまり、受光素子アレイ３Ａのうち発光素子５０との間の距離が短いもの、換言すれば、受光素子アレイ３Ａのうち光信号の指向性が大きいものは受光量の強度が多い。この受光量の最も多い受光素子アレイ３Ａの信号が距離演算部１７１に送られる。この信号は新たな光を受光素子アレイ３Ａで受光するまで保持される。
【００１５】
ここで、利用者がいる位置が遠隔操作制御装置５の位置でもあるため、利用者が画面２の正面、つまり、受光検出素子３Ｒ，３Ｌを結ぶ線分の中心点を基点とする法線上にいるとすると、受光検出素子３Ｒ，３Ｌが配置される線分において受光検出素子３Ｒ，３Ｌの各中心点から延びる法線Ｈと、これらの法線Ｈの基点と指向性の大きな受光素子アレイ３Ａの位置とを結ぶ線分Ｐとのなす角度（振れ角）をΦとすると、ｔａｎΦ＝Ｗ／Ｒの関係式がなりたつ。
ここで、角度Φは受光検出素子３Ｒ，３Ｌで求めることができ、Ｗは既知の寸法であるから、画面２と遠隔操作制御装置５との間の距離Ｒを求めることができる。
【００１６】
仮に、利用者が画面２の正面にいなくても、図５で示す三角形の関係で距離Ｒを求めることができる。
つまり、利用者が受光検出素子３Ｒ，３Ｌを結ぶ線分上のａ：ｂの位置の法線上に位置すると仮定すると、ｔａｎΦ１＝Ｒ／ｂであり、ｔａｎΦ２＝Ｒ／ａであり、Ｒ＝ｂｔａｎΦ１＝ａｔａｎΦ２であり、ｂ＝ａ（ｔａｎΦ２／ｔａｎΦ１）となる。一方、ａ＋ｂ＝２Ｗであるため、ａ＋ａ（ｔａｎΦ２／ｔａｎΦ１）＝２Ｗの式並びに受光検出素子３Ｒ，３Ｌで求まる振れ角Φ１及びΦ２の値からａを求め、このａからＲを求めることができる。
【００１７】
テーブル１７２は距離Ｒと文字の大きさ（１文字あたりの見込み角）との関係を予め記憶する記憶手段である。ここで、距離Ｒと文字の大きさＸとの関係を図６に示す。図６において、利用者が文字情報表示部２Ｂから距離Ｒだけ離れて一辺２Ｘの大きさの文字「あ」を見るとする。本実施形態では、見込み角θが一定となるように距離Ｒと文字の大きさＸとを定める。
例えば、５０インチの画面２をもつ情報表示装置１において、その画面２の四分の一画面相当に文字情報表示部２Ｂの大きさを設定すると、利用者が５ｍの距離Ｒ離れている時には、１文字はデフォルトで２４×２４ドットに構成されるフォントで表示されると決められる。このとき、利用者が画面２まで２．５ｍの位置まで近づくとすると、１文字が１２×１２ドットに構成されるフォントで表示されるように制御する。そのため、文字の大きさＸと距離Ｒとが一定の相関関係をもってテーブル１７２に記憶される。
【００１８】
文字の大きさＸと距離Ｒとの相関関係としては、図７（Ａ）のグラフにおいて想像線Ｐで示される通り、直線的に正比例して増大する基本形のものの他、図７（Ａ）〜（Ｃ）の実線で示される非線形のものがある。つまり、文字の大きさＸと距離Ｒとの相関関係には、図７（Ａ）の実線で示される通り、一定（維持）と変更とを所定距離Ｒ１毎に繰り返して階段的に増加するもの、図７（Ｂ）に示される通り、距離Ｒが短い時は変化率が大きく距離Ｒが長い時は変化率が小さく変化するものがある。ここで、距離Ｒが所定値を越えて長くなる場合には１文字の大きさＸを所定の大きさＸ１に制限するリミッタ機能が設けられている。このリミッタ機能は文字情報表示部２Ｂで表示される文字の大きさの制限を一列に配列する文字数との関係で設定される。
【００１９】
本実施形態では、文字情報表示部２Ｂの大きさを決めるため、距離Ｒが長くなって１文字の大きさＸが大きくなると、１行あたりに表示される文字数を減少せざるを得ない。
１行あたりの文字数が減少すると、文字情報を認識しにくくなるので、本実施形態では、文字情報表示部２Ｂに１行あたりに表示する最低限の文字数を決めておき、これ以上、距離Ｒが長くなっても、文字の大きさＸを維持することにした。
なお、文字情報表示部２Ｂで表示可能な領域が大きくなると、図７（Ｃ）で示される通り、１行あたりに表示できる文字の大きさＸ１が大きくなる。
【００２０】
設定部１７３は、文字情報表示部２Ｂの領域の大きさ、背景の色、１文字の大きさＸの最大値、文字の大きさＸと距離Ｒとの相関関係（図７（Ａ）〜（Ｃ）のいずれの関係で文字の大きさを変化させるか）、等を設定するものであり、設定値等を記憶する記憶部を有する。これらの値は遠隔操作制御装置５からの信号により変更される。
フォント演算部１７４は距離演算部１７１で演算された現在の距離Ｒ’と、テーブル１７２で記憶されたデータとに基づいて現在の見込み角θ’を演算し、この見込み角θ’と今まで記憶している見込み角θとを比較し、見込み角θ’とθが一致するように文字の大きさＸをＸ’に変更する信号を駆動部１７５に送る。さらに、距離ＲをＲ’とし、見込み角θをθ’とし、文字の大きさＸをＸ’としたデータをフォント演算部１７４で更新する。
駆動部１７５は遠隔操作制御装置５から出力される信号及びフォント演算部１７４から出力される信号を受けて作動する。
マニュアル駆動部１７６は距離Ｒと関わらず１文字の大きさＸをマニュアルにて変更するものであり、マニュアル駆動部１７６が作動している場合には駆動部１７５の作動が中止する。
【００２１】
遠隔操作制御装置５の構成が図８及び図９に示されている。
遠隔操作制御装置５の外観構成が示される図８において、遠隔操作制御装置５は、チャンネルを切り換える複数の番組切換ボタン５１と、音量ボタン５２と、電源ボタン５３と、文字情報表示ボタン５４と、文字情報更新ボタン５５と、設定ボタン５６と、マニュアルボタン５７とを備えている。番組切換ボタン５１は初期値設定時等で用いられる数字キーを兼ねる。
【００２２】
図９には遠隔操作制御装置５の回路構成が示されている。
図９において、番組切換ボタン５１、文字情報表示ボタン５４、文字情報更新ボタン５５、設定ボタン５６及びマニュアルボタン５７にそれぞれ対応するスイッチ５１Ａ，５４Ａ，５５Ａ，５６Ａ，５７Ａを含んでスイッチアレイ５Ａが構成され、このスイッチアレイ５Ａと、ＣＰＵ５Ｂと、ＲＯＭ５Ｃと及びＲＡＭ５Ｄを備えて駆動回路が構成されている。
ＣＰＵ５Ｂは各スイッチ５１Ａ，５４Ａ，５５Ａ，５６Ａ，５７Ａからの信号を受けて発光素子５０に信号を送り、この発光素子５０が情報表示装置１に信号を送る。
【００２３】
例えば、文字情報表示ボタン５４を押すと、スイッチ５４ＡがＯＮし、ＣＰＵ５Ｂは発光素子５０から駆動信号を情報表示装置１のＣＰＵ１７の駆動部１７５に伝達する。これにより、画面２に文字情報表示部２Ｂが表示されるとともに、この文字情報表示部２Ｂに表示される文字の大きさＸが距離Ｒに応じて自動制御される。
また、文字情報更新ボタン５５を押すと、スイッチ５５ＡがＯＮし、ＣＰＵ５Ｂは発光素子５０から駆動信号を情報表示装置１のＣＰＵ１７の駆動部１７５に伝達する。これにより、文字情報表示部２Ｂでの改ページ等される。
【００２４】
さらに、設定ボタン５６を押すと、スイッチ５６ＡがＯＮし、ＣＰＵ５Ｂは発光素子５０から駆動信号を情報表示装置１のＣＰＵ１７の設定部１７３に伝達する。その後、数字キーを兼ねる番組切換ボタン５１やその他のボタンを押すことで初期値設定等を行う。
また、マニュアルボタン５７を押すと、スイッチ５７ＡがＯＮし、ＣＰＵ５Ｂは発光素子５０から駆動信号を情報表示装置１のＣＰＵ１７のマニュアル駆動部１７６に伝達する。その後、番組切換ボタン５１やその他のボタンを押すことで文字情報表示部２Ｂに表示される文字の大きさＸをマニュアルで変更する。
【００２５】
次に、本実施形態の作用について説明する。
まず、距離Ｒによって文字の大きさＸを単純に制御する基本的な手順について、図１０及び図１１に基づいて説明する。
図１０は文字の大きさを単純に制御する手順を示すフローチャートである。
まず、遠隔操作制御装置５の文字情報表示ボタン５４を押すと、スイッチ５４ＡがＯＮし、この信号が情報表示装置１のＣＰＵ１７の駆動部１７５に伝達される。駆動部１７５に信号が伝達されることで、図１１（Ａ）で示される通り、画像情報表示部２Ａのみ表示される画面２に、図１１（Ｂ）で示される通り、文字情報表示部２Ｂが併せて表示されることになる。
【００２６】
図１０に示される通り、文字情報表示ボタン５４が押されることで、文字情報表示要求があったことになり（Ｓ１１１）、遠隔操作制御装置５の発光素子５０で発信される光信号を受光検出素子３Ｒ，３Ｌで受光して受光量の強度分布を読み取る（Ｓ１１２）。
さらに、強度分布から振れ角Φ１、Φ２を求める（Ｓ１１３）。これらの振れ角Φ１、Φ２から遠隔操作制御装置５と情報表示装置１との間の実際の距離Ｒ’を求める（Ｓ１１４）。
さらに、現在の距離Ｒ’と現在の１文字当たりの大きさＸ’とから現在の見込み角θ’を求め（Ｓ１１５）、この見込み角θ’が記憶している見込み角θと変化があるか否か判断し（Ｓ１１６）、変化があれば、記憶している距離Ｒ、Ｘ及びθと、現在の距離Ｒ’及びθ’とから修正すべき文字の大きさＸ｀を求め（Ｓ１１７）、変化がなければ、文字情報表示に関する指示があったか否か判断する（Ｓ１１８）。
修正すべき文字の大きさＸ’を求めたら、このＸ’の値に従ってＯＳＤに表示データの変更の信号を送り（Ｓ１１９）、さらに、記憶データＲをＲ’に、θをθ’に、ＸをＸ’にそれぞれ変更する（Ｓ１２０）。
【００２７】
例えば、現在の距離Ｒ’が記憶されている距離Ｒより長くなる場合には、図１１（Ｃ）で示される通り、１文字あたりの大きさＸが大きくなる。
記憶データの変更が終了したら、文字情報表示に関する指示があったか否か判断し（Ｓ１１８）、文字情報表示に関する指示があれば、Ｓ１１２で示すステップに戻り、文字情報表示に関する指示がなければ、文字情報表示が終了したか否かを判断し（Ｓ１２１）、終了されていれば、制御システムの作動を終了し、終了されていなければ、Ｓ１１８で示すステップに戻る。
【００２８】
次に、距離Ｒによって文字の大きさＸを非線形のグラフ（図７（Ａ）〜（Ｃ）において実線で示されるグラフ）に基づいて制御する手順について、図１２に基づいて説明する。
図１２は文字の大きさを非線形のグラフに基づいて制御する手順を示すフローチャートである。
まず、文字情報表示要求があった否かを判断し（Ｓ２１１）、文字情報表示要求があったなら、設定部から距離Ｒと文字の大きさＸとのデータを呼び出す（Ｓ２１２）。さらに、遠隔操作制御装置５の発光素子５０で発信される光信号を受光検出素子３Ｒ，３Ｌで受光して受光量の強度分布を読み取り（Ｓ２１３）、強度分布から振れ角Φ１、Φ２を求める（Ｓ２１４）。これらの振れ角Φ１、Φ２から遠隔操作制御装置５と情報表示装置１との間の現在の距離Ｒ’を求める（Ｓ２１５）。
【００２９】
さらに、記憶していた距離Ｒと現在の距離Ｒ’とを比較し（Ｓ２１６）、距離Ｒと距離Ｒ’とが違うなら、得られた距離Ｒ’と現在設定されているグラフとから１文字の大きさＸ’を求め（Ｓ２１７）、距離Ｒと距離Ｒ’とが違わないなら文字情報表示に関する指示があったか否か判断する（Ｓ２１８）。
文字の大きさＸ’を求めたら、このＸ’の値に従ってＯＳＤに表示データの変更の信号を送り（Ｓ２１９）、さらに、現在のデータを記憶して記憶データＲをＲ’に、ＸをＸ’にそれぞれ変更する（Ｓ２２０）。
記憶データの変更が終了したら、文字情報表示に関する指示があったか否か判断し（Ｓ２１８）、変更があれば、Ｓ２１２で示すステップに戻り、変更がなければ、文字情報表示が終了したか否かを判断し（Ｓ２２１）、終了されていれば、制御システムの作動を終了し、終了されていなければ、Ｓ２１８で示すステップに戻る。
【００３０】
次に、初期値を設定する手順について、図１３及び図１４に基づいて説明する。
図１３は文字の大きさの初期値を設定する手順を示すフローチャートである。
まず、遠隔操作制御装置５の設定ボタン５６を押すと、スイッチ５６ＡがＯＮし、この信号が情報表示装置１のＣＰＵ１７の設定部１７３に伝達される。
すると、遠隔操作制御装置５の発光素子５０で発信される光信号を受光検出素子３Ｒ，３Ｌで受光して受光量の強度分布を読み取る（Ｓ３１１）。さらに、強度分布から振れ角Φ１、Φ２を求める（Ｓ３１２）。これらの振れ角Φ１、Φ２から遠隔操作制御装置５と情報表示装置１との間の実際の距離Ｒ’を求め（Ｓ３１３）、利用者に１文字の大きさの変更を促す（Ｓ３１４）。この場合、図１４（Ａ）に示される通り、画面２の文字情報表示部２Ｂには「フォントの大きさを変更して下さい」というメッセージが表示される。
【００３１】
その後、１文字の大きさＸを大きくする操作があるか否かを判断し（Ｓ３１５）、操作があれば、１文字の大きさＸを一段大きくし（Ｓ３１６）、この文字の大きさで良いか利用者を促す（Ｓ３１７）。この場合、図１４（Ｂ）に示される通り、画面２の文字情報表示部２Ｂには「このフォントの大きさでよろしいですか」というメッセージが表示される。
１文字の大きさＸを大きくする操作がなければ、１文字の大きさＸを小さくする操作があるか否か判断し（Ｓ３１８）、操作があれば、１文字の大きさを一段小さくし（Ｓ３１９）、この文字の大きさで良いか利用者を促す（Ｓ３１７）。この場合、図１４（Ｃ）に示される通り、画面２の文字情報表示部２Ｂには「このフォントの大きさでよろしいですか」というメッセージが表示される。
【００３２】
１文字の大きさＸを小さくする操作がなければ、この文字の大きさで良いか利用者を促す（Ｓ３１７）。
図１４（Ｂ）で示されるメッセージに対して利用者からＯＫとの判断を示す信号を遠隔操作制御装置５から入力すると（Ｓ３２０）、基準値Ｒを距離Ｒ’にし、また大きさＸを基準値として、基準値Ｒと共に設定部に記憶し（Ｓ３２１）、作業が終了する。一方、利用者からＯＫとの判断を示す信号が入力されない場合には、Ｓ３１５で示されるステップに戻る。
【００３３】
従って、本実施形態では、次の効果を奏することができる。
（１）遠隔操作制御装置５から送られる信号に基づいて文字情報が表示される文字情報表示部２Ｂを有する情報表示装置１であって、遠隔操作制御装置５との間の距離を計測する距離計測手段６と、文字情報表示部２Ｂで表示される文字の最適な大きさＸを遠隔操作制御装置５との距離Ｒの関係で予め求めておき距離計測手段６の計測結果に基づいて文字情報表示部２Ｂで表示される文字の最適な大きさＸを制御するＣＰＵ１７とを備えたから、遠隔操作制御装置５の位置が利用者が情報表示装置１を見る位置であるため、利用者が情報表示装置１から離れる位置が変わっても、遠隔操作制御装置５と情報表示装置１との間の距離Ｒに基づいて距離計測手段６及びＣＰＵ１７で文字情報表示部２Ｂに表示される文字の大きさＸが自動的に最適なものに制御されるので、利用者は、文字情報表示部２Ｂで表示される文字の大きさをマニュアルで変更する不便さから開放される。
【００３４】
（２）遠隔操作制御装置５は距離Ｒを計測するための光信号を出力する発光素子５０を備え、距離計測手段６を遠隔操作制御装置５から出力される光信号を受光して距離Ｒを計測する光計測装置としたので、測長手段として光を用いることで、測長精度を高くし、これに伴って、文字の大きさの制御を精度良く行うことができる。
【００３５】
（３）光計測装置は文字情報表示部２Ｂを挟んで２個所設けられた受光検出素子３Ｒ，３Ｌを備え、これらの受光検出素子３Ｒ，３Ｌの間の寸法Ｗと、これらの受光検出素子同士を結ぶ直線とこの直線上の１点と遠隔操作制御装置５との最短を結ぶ直線とからなる三角形の関係から距離Ｒを演算するから、利用者が情報表示装置１の中心の正面から外れた位置にいても、三角形の関係式に基づいて利用者と情報表示装置１との間の距離Ｒを正確に求めることができ、この正確に求められた距離Ｒに基づいて文字の大きさＸを精度よく制御することができる。
【００３６】
（４）情報表示装置１は、文字情報表示部２Ｂの他に、画像情報を表示する画像情報表示部２Ａを備えて構成したので、画像情報表示部２Ａの画像情報を文字情報表示部２Ｂで表示される文字情報で補足することが可能となり情報表示装置１で表示される情報の多様化を図ることができる。
【００３７】
（５）ＣＰＵ１７を、文字情報表示部２Ｂで表示される文字の大きさＸを遠隔操作制御装置５との距離Ｒと直線的に正比例して制御する構成にすると、距離Ｒに対応して文字の大きさＸを微妙に変化させることができる。
【００３８】
（６）ＣＰＵ１７を、文字情報表示部２Ｂで表示される文字の大きさＸを遠隔操作制御装置５との距離Ｒと対応して一定と変更とを所定距離毎に繰り返して階段的に制御する構成にすると、利用者が姿勢等を変えて遠隔操作制御装置５の情報表示装置１に対する位置が微小に変化しても、文字情報表示部２Ｂで表示される文字の大きさが変化しないので、文字情報表示部２Ｂで表示される文字が見にくくなることがない。
【００３９】
（７）ＣＰＵ１７を、文字情報表示部２Ｂで表示される文字の大きさを遠隔操作制御装置５との距離Ｒと対応して距離Ｒが短い時は変化率が大きく距離Ｒが長い時は変化率が小さくなるように制御する構成にすると、文字情報表示部２Ｂで表示される文字情報が比較的に利用されやすい近接位置において文字の大きさＸを大きく変化させることができるので、文字の大きさを合理的に制御することができる。
【００４０】
（８）ＣＰＵ１７は文字情報表示部２Ｂで表示される文字の大きさを遠隔操作制御装置５との距離Ｒが所定値を越えた場合には所定の大きさのままに制限するリミット機能を有するから、文字情報表示部２Ｂに表示される文字が大きくなり過ぎて文字情報が判読できないという不都合を回避することができる。
【００４１】
（９）ＣＰＵ１７は文字情報表示部２Ｂで表示される文字の大きさの制限を一列に配列する文字数との関係で求めるから、文字情報表示部２Ｂで表示される文字情報を確実に判読することができる。
【００４２】
（１０）ＣＰＵ１７は、文字情報表示部２Ｂで表示される文字の最適な大きさを遠隔操作制御装置５からの信号を受けてマニュアルで制御するマニュアル駆動部１７６を備えたから、利用者は文字の大きさＸを自動制御することとマニュアル制御することとを選択することができるので、利便性が向上する。
【００４３】
（１１）２個の受光検出素子３Ｒ，３Ｌは画面２を挟んで水平方向に並べて配置されているので、これらの間の間隔を大きくすることが可能であるから、利用者が画面２の正面に位置していない場合でも、文字の大きさを精度良く制御することができる。つまり、情報表示装置１はテレビであり、テレビは、画面２の縦横比率に関して横が大きい。この水平方向の沿って受光検出素子３Ｒ，３Ｌを配置することで、鉛直に沿って受光検出素子３Ｒ，３Ｌを配置する場合に比べてこれらの間隔を大きくとれる。受光検出素子３Ｒ，３Ｌの間隔が大きければ、角度Φを大きくとることができるので、画面２と利用者（遠隔操作制御装置５）との間の距離を正確に測定して文字の大きさを精度よく制御することができる。
【００４４】
（１２）ＣＰＵ１７は、文字情報表示部２Ｂの領域の大きさ、背景の色、１文字の大きさＸの最大値、文字の大きさＸと距離Ｒとの相関関係等を設定する設定部１７３を備えたので、利用者に応じて最適な文字の大きさを決定できる。例えば、目の不自由な利用者は最適な文字の大きさを健常者より大きめに設定できる。
【００４５】
なお、本発明は前述の実施の形態に限定されるものではなく、本発明の目的を達成できる範囲での変形、改良等は本発明に含まれるものである。
例えば、前記実施形態では、文字情報表示部２Ｂを挟んで受光検出素子３Ｒ，３Ｌを２カ所配置したが、本発明では、受光検出素子３Ｒ，３Ｌの数は２個に限定されるものではなく、１個あるいは３個以上でもよい。
例えば、利用者が文字情報表示部２Ｂの正面で遠隔操作制御装置５を操作するのであれば、受光検出素子３Ｒ，３Ｌのうち一方のみを用いてもよい。仮に、２個配置する場合でも、その配列方向は前記実施形態のものに限定されるものではなく、例えば、２個の受光検出素子３Ｒ，３Ｌを、画面２を挟んで上下に配置するものでもよい。
【００４６】
さらに、距離Ｒを測定するにあたり、光以外のもの、例えば、超音波を利用するものでもよい。
また、情報表示装置１は文字情報表示部２Ｂのみを備えて構成するものでもよい。この場合、情報表示装置１はスピーカから音声を出力し、この音声に応じた文字情報を文字情報表示部２Ｂで表示させるものでもよい。
【００４７】
情報表示装置１をテレビとしたが、本発明では、テレビ以外のもの、例えば、プロジェクタであってもよく、遠隔操作制御装置５で操作可能な情報表示装置１であれば、その具体的な構造は問わない。
さらに、文字情報表示部２Ｂで表示される文字を横書きとしたが、縦書きであってもよい。
【図面の簡単な説明】
【図１】本発明の一実施形態における情報表示装置の概略構成を示す斜視図である。
【図２】前記情報表示装置の内部構成を示すブロック図である。
【図３】制御手段を構成するＣＰＵの内部構成を示すブロック図である。
【図４】受光検出素子の概略構成図である。
【図５】遠隔操作制御装置と２個の受光検出素子との位置関係を示す三角形の概略図である。
【図６】距離と文字の大きさとの関係を示す概略図である。
【図７】文字の大きさと距離との相関関係を示すグラフである。
【図８】遠隔操作制御装置の外観構成を示す正面図である。
【図９】遠隔操作制御装置の内部構成を示すブロック図である。
【図１０】文字の大きさを制御する基本的な手順を示すフローチャートである。
【図１１】図１０のフローチャートで文字の大きさが制御される場合の画面を示す概略図である。
【図１２】文字の大きさを非線形のグラフに基づいて制御する手順を示すフローチャートである。
【図１３】文字の大きさの初期値を設定する手順を示すフローチャートである。
【図１４】図１３のフローチャートで初期値を設定する場合の画面を示す概略図である。
【符号の説明】
１      情報表示装置
２      画面
２Ａ    画像情報表示部
２Ｂ    文字情報表示部
３Ｒ，３Ｌ  受光検出素子
５      遠隔操作制御装置
６      距離計測手段
１７      制御手段（ＣＰＵ）
５０    発光素子
１７３    設定部
１７５    駆動部
１７６    マニュアル駆動部
Ｒ        距離
【図１】
2004287168.tif 000003
【図２】
2004287168.tif 000004
【図３】
2004287168.tif 000005
【図４】
2004287168.tif 000006
【図５】
2004287168.tif 000007
【図６】
2004287168.tif 000008
【図７】
2004287168.tif 000009
【図８】
2004287168.tif 000010
【図９】
2004287168.tif 000011
【図１０】
2004287168.tif 000012
【図１１】
2004287168.tif 000013
【図１２】
2004287168.tif 000014
【図１３】
2004287168.tif 000015
【図１４】
2004287168.tif 000016